【事件の表示】
　平成　９年特許願第３５３２２６号「液晶パネルの検査装置」拒絶査定に対する審判事件［平成１１年　７月　９日出願公開、特開平１１−１８３８６１］について、次のとおり審決する。
【結　論】
　本件審判の請求は、成り立たない。
【理　由】
１．本願発明
  本願は、平成９年１２月２２日に特許出願されたものであって、その請求項１に係る発明は、平成１３年１２月２５日付け及び、特許法第１７条の２の規定によって平成１４年３月２６日付け手続補正書により適法に補正された明細書及び図面の記載からみて、その特許請求の範囲の請求項１に記載された事項により特定される次のとおりのものである。
「【請求項１】点灯表示のために薄膜トランジスタを形成した液晶パネルと、該液晶パネルを線順次駆動により点灯表示させるゲート線用及びデータ線用の液晶ドライバーＩＣとを少なくとも有し、前記液晶ドライバーＩＣに駆動信号を供給して前記液晶パネルの表示状態を検査する液晶パネルの検査装置において、
  前記薄膜トランジスタをオンする書き込み時間と、書き込みデータが保持される保持時間とを可変にして、液晶パネルの欠陥及び特性不良を検出できるように、前記液晶ドライバーＩＣを駆動する電源並びに制御信号のレベル及びタイミングを可変制御する駆動信号発生手段を具備することを特徴とする液晶パネルの検査装置。」
２．刊行物記載の発明
 　これに対し、原審における拒絶理由に引用された、この出願前公知の刊行物である特開昭６３−１８２６９６号公報（以下、「引用例」という。）には、下記の記載が認められる。
「アクティブマトリックス型液晶表示装置に作製された薄膜トランジスタ素子が駆動する絵素の表示状態を光学手段を用いて検出し、前記薄膜トランジスタの欠陥を検出する方法にあって、絵素コンデンサへの充電時間または充電周期時間もしくはその両方を可変させることにより、前記薄膜トランジスタ素子の欠陥状態を検出することを特徴とする液晶表示装置の欠陥検出方法。」（特許請求の範囲）
「本発明は薄膜トランジスタ素子アレイを応用した液晶表示装置の欠陥検出方法に関するものである。」（１頁左下欄１５行−同１７行）。
「しかし、ゲート・ドレイン間、ソース・ドレイン間に短絡あるいは高抵抗の短絡がある場合、放電時間が短く、次のゲート信号前に放電が修了し、消燈状態となる。つまり周期的にゲート信号を印加すれば点滅状態となる。また前記電気信号の周期、大きさを可変することにより放電を終了させる前に充電できるようにすることができるため点燈状態を持続させることが可能となるから、前記電気信号の周期、大きさから欠陥の程度をも検出することができる。」（３頁左上欄２行−同１１行）。
「第１図においてＸ1〜Ｘｎ（ｎは整数)はゲート信号線、Ｙ1〜Ｙｎ（ｎは整数)はソース信号線、Ｔ１１〜Ｔｍｎ（ｍ，ｎは整数)は薄膜トランジスタ素子、Ｃ１１〜Ｃｍｎ（ｍ，ｎは整数)は絵素コンデンサ、９は信号切りかえ手段、１０はゲート信号源、１１はソース信号源である。１２は薄膜トランジスタ素子のゲート・ドレイン間の高抵抗の短絡を、１３はソース・ドレイン間の高抵抗の短絡を示している。また、第２図はゲート・ドレイン間の短絡を検出するためのゲート信号線とソース信号線に印加する信号の一例であるタイミングチャートであり、第３図はソース・ドレイン間の短絡を検出するためのソース信号線とゲート信号線に印加する信号の一例であるタイミングチャートである。」（３頁左上欄１６行−同右上欄１１行）。
「まず、Ｔ２１のゲート・ドレイン間の短絡およびその大きさを検出する方法について説明する。この場合は第２図のタイミングチャートに示すゲート信号をＸ２端子にソース信号をＹ1端子に印加する。前記ゲート信号は正常の薄膜トランジスタ素子のドレイン端子に形成されたコンデンサに充電できる時間ゲートを開くことができ、かつゲートが閉じかつコンデンサに充電された電荷が放電してしまう前に次の周期でゲートを開き充電できる信号である。正常な薄膜トランジスタ素子であれば、放電してしまう前に次の充電がおこなわれるから連続点燈状態となるが、ゲート・ドレイン間短絡があるためにゲートが閉じられている時間内にコンデンサの電荷を放電してしまう。そのため前記薄膜トランジスタ素子が駆動する絵素は点滅状態となる。前記絵素の表示状態を光学的手段で検出すれば薄膜トランジスタ素子の欠陥を検出することができる。」（３頁右上欄１３行−同左下欄１１行）。
「つぎにゲートを開く時間ａを長く、または周期時間ｂを短くすれば、前記絵素の表示状態は点滅状態から点燈状態に変化する。点燈状態になったときのゲート信号のａおよびｂの値から薄膜トランジスタ素子の欠陥の程度を知ることができる。」（３頁左下欄１３行−同１８行）。
「なお、本実施例では第２図および第３図（第３図および第４図は誤記。)に示すａおよびｂを可変させて欠陥の程度検出するとしたが、電圧の大きさを可変することにより、コンデンサに充電させる時間が変化することは明らかであるから、電圧の大きさを変化させても容易に欠陥状態を検出できることは明らかである。」（４頁左上欄１行−同６行）。
 ３．対比
 　本願の請求項１に係る発明（以下、「本願発明」という。）と引用例記
 載のものとを対比する。
 　引用例記載の発明の「薄膜トランジスタ素子」、「液晶表示装置」、「充電時間ａ」、「充電周期時間ｂ」、「ゲート信号」、「第1図の液晶表示装置の欠陥検出方法を実施する装置」、「ゲート信号の電圧の大きさ（第２図）」、「ゲート信号の周期（第２図）」、「ゲート信号源」は、それぞれ本願発明の「薄膜トランジスタ」、「液晶パネル」、「薄膜トランジスタをオンする書き込み時間」、「書き込みデータが保持される保持時間」、「制御信号」、「液晶パネルの検査装置」、「制御信号のレベル」、「制御信号のタイミング」、「駆動信号発生手段」に相当する。
  よって、両者は、「点灯表示のために薄膜トランジスタを形成した液晶パネルを有し、前記液晶パネルの表示状態を検査する液晶パネルの検査装置において、前記薄膜トランジスタをオンする書き込み時間と、書き込みデータが保持される保持時間とを可変にして、液晶パネルの欠陥及び特性不良を検出できるように、制御信号のレベル及びタイミングを可変制御する駆動信号発生手段を具備する液晶パネルの検査装置」で一致し、下記の点で相違する。
（相違点）本願発明は、「液晶パネルを線順次駆動により点灯表示させるゲート線用及びデータ線用の液晶ドライバーＩＣ」、および「該液晶ドライバーＩＣを駆動する電源を具備し、前記液晶ドライバーＩＣに駆動信号を供給している」のに対して、引用例には、これら構成が記載されていない点。
４．判断
  上記相違点に付き検討する。
  液晶パネルの表示装置において、液晶パネルを線順次駆動により点灯表示させるゲート線用及びデータ線用の液晶ドライバーＩＣ、および該液晶ドライバーＩＣを駆動する電源を具備し、前記液晶ドライバーＩＣに駆動信号を供給することは、従来周知（例えば、特開平５−２９７８３１号公報、特開平３−２０８０９０号公報参照）であり、上記周知技術を引用例記載の発明に適用することに格別困難性はない。
 また、本願発明によってもたらされる効果は、引用例及び従来周知の技術から、当業者が予測し得る程度のものであり、格別とはいえない。
 よって、本願発明は、引用例記載の発明及び従来周知の技術により当業者が容易に想到し得たものである。
５．むすび
　以上のとおり、本願発明は、引用例に記載された発明及び従来周知の技術に基づいて当業者が容易に発明をすることができたものであるから、特許法第２９条第２項の規定により特許を受けることができな。
 よって、結論のとおり審決する。